(57)【要約】【課題】仏壇を移動させる際に、傾きにくく、転倒しにくい可動仏壇の提供を目的とする。【解決手段】本発明の可動仏壇１は、仏壇本体２およびキャスター８を備え、キャスター８のうち、可動仏壇１の前隅および／または後隅に設けられるキャスター８が、可動仏壇１が載置される床面上を転動する転動輪と、転動輪の進行方向を変化させるための、略鉛直方向に延びる転動輪方向変換軸とを備え、可動仏壇１の前隅と後隅のうちのいずれか一方において、前側キャスターの転動輪方向変換軸の軸心が仏壇本体２の前面２１および側面２２の外側に配置されるか、または後側キャスターの転動輪方向変換軸の軸心が、仏壇本体２の背面および側面２２の外側に配置されていることを特徴とする。【選択図】図１
2015089483.tif 000002
【特許請求の範囲】
【請求項１】
仏壇本体、および
前記仏壇本体の下方の前側および後側に、直接または間接的に取り付けられるキャスター
を備えた可動仏壇であって、
前記キャスターのうち、前記可動仏壇の前側および／または後側に設けられるキャスターが、前記可動仏壇が載置される床面上を転動する転動輪と、該転動輪の進行方向を変化させるための、略鉛直方向に延びる転動輪方向変換軸とを備え、
前記可動仏壇の前側と後側のうちのいずれか一方において、前側キャスターの転動輪方向変換軸の軸心が前記仏壇本体の外周部の外側に配置されるか、または後側キャスターの転動輪方向変換軸の軸心が、前記仏壇本体の外周部の外側に配置されていることを特徴とする可動仏壇。
【請求項２】
前記前側キャスターの転動輪方向変換軸の軸心が、前記仏壇本体の外周部の外側に配置され、かつ、前記後側キャスターの転動輪方向変換軸の軸心が、前記仏壇本体の外周部の外側に配置されていることを特徴とする請求項１記載の可動仏壇。
【請求項３】
前記仏壇本体の外周部の外側に、前記仏壇本体の外側へ突出する軸接続部が設けられ、
前記軸接続部に、前記転動輪方向変換軸が接続される請求項１または２記載の可動仏壇。
【請求項４】
前記キャスターが、キャスターカバーにより覆われ、該キャスターカバーが、前記転動輪とともに前記転動輪方向変換軸を中心に回転可能であり、前記キャスターカバーが上方から下方へ向かって傾斜した傾斜面を有し、
前記軸接続部が、上方から下方へ向かうにつれて、前記仏壇本体の外側へ向かって、張り出し幅が広がるように形成され、
前記軸接続部と前記キャスターカバーの傾斜面とが連続した傾斜面を形成可能であることを特徴とする請求項３記載の可動仏壇。
【請求項５】
前記仏壇本体内に須弥壇が設けられ、該須弥壇の天面が前記仏壇本体の前側から後側に向かって後側が低くなるように、水平面に対して１〜５°傾斜している請求項１〜４のいずれか１項に記載の可動仏壇。
【請求項６】
仏壇本体、および
前記仏壇本体の下方の前側および後側に、直接または間接的に取り付けられるキャスター
を備えた可動仏壇であって、
前記可動仏壇の前側と後側のうちのいずれか一方において、前側キャスターの接地面が前記仏壇本体の外周部の外側になるように前記前側キャスターが配置されるか、または後側キャスターの接地面が、前記仏壇本体の外周部の外側になるように前記後側キャスターが配置されていることを特徴とする可動仏壇。
【請求項７】
前記前側キャスターの接地面が、前記仏壇本体の外周部の外側に配置され、かつ、前記後側キャスターの接地面が、前記仏壇本体の外周部の外側に配置されていることを特徴とする請求項６記載の可動仏壇。
【請求項８】
前記仏壇本体の外周部の外側に、前記仏壇本体の外側へ突出するキャスター接続部が設けられ、
前記キャスター接続部に、前記キャスターが接続される請求項６または７記載の可動仏壇。
【請求項９】
前記キャスターが、キャスターカバーにより覆われ、該キャスターカバーが、前記キャスターとともに回転可能であり、前記キャスターカバーが上方から下方へ向かって傾斜した傾斜面を有し、
前記キャスター接続部が、上方から下方へ向かうにつれて、前記仏壇本体の外側へ向かって、張り出し幅が広がるように形成され、
前記キャスター接続部と前記キャスターカバーの傾斜面とが連続した傾斜面を形成可能であることを特徴とする請求項８記載の可動仏壇。
【請求項１０】
前記仏壇本体内に須弥壇が設けられ、該須弥壇の天面が前記仏壇本体の前側から後側に向かって後側が低くなるように、水平面に対して１〜５°傾斜している請求項６〜９のいずれか１項に記載の可動仏壇。
【発明の詳細な説明】
【技術分野】
【０００１】
本発明は可動仏壇に関する。さらに詳しくは、可動であるとともに、移動時に倒れにくい仏壇に関する。
【背景技術】
【０００２】
仏壇のある家庭においては、通常、リビングや和室などにおいて、所定の場所に仏壇が据えつけられている。しかし、部屋の模様替えや、親戚が集まったときなど、仏壇の場所を移動したいという需要がある。また、日常はリビングに仏壇を設置している場合に、来客時に一時的に別の部屋に仏壇を移動したり、仏壇周りの掃除をする際に仏壇を移動することもある。
【０００３】
移動可能な仏壇としては、特許文献１に示す仏壇が開示されている。この特許文献１の仏壇は、直方体形状の箱型の筐体の底部側にキャスターを備える移送手段が設けられ、仏壇の移送を可能にしている。同様に、特許文献２にも、縦長略箱型状の仏壇の底面にキャスターが設けられた仏壇が開示されており、特許文献１および２のいずれの仏壇もキャスターにより仏壇を動かすことが可能に構成されている。
【先行技術文献】
【特許文献】
【０００４】
【特許文献１】実用新案登録第３１５４５５８号公報
【特許文献２】特開２００２−２９１６１０号公報
【発明の概要】
【発明が解決しようとする課題】
【０００５】
しかしながら、特許文献１および２のいずれの仏壇も直方体形状または縦長略箱型状の仏壇の底部、より詳細に説明すると、仏壇の底面のうち、仏壇の垂直方向に延びる側面より内側（仏壇の内部側）の部分にキャスターが取り付けられているため、仏壇を移動する際に、仏壇の側面を押して移動しようとしたときに仏壇が安定せず、仏壇が転倒してしまう可能性がある。特に、仏壇を移動する際に、一人で仏壇を移動しようとする場合や、力のない高齢者が仏壇を移動しようとする場合には、より仏壇が転倒する可能性が高まる。また、畳上や段差のある場所で仏壇を移動しようとする場合にも転倒する可能性が高まる。
【０００６】
仏壇の移動時に仏壇が転倒しなくても、仏壇の接地面（キャスターの車輪の接地面）が仏壇の側面よりも内側にあるため、仏壇の側面を押しながら仏壇を移動させる際に、仏壇がキャスターを支点として傾く可能性があり、仏壇内に位牌や、その他の仏具をのせたまま移動させると、仏壇内の仏具が倒れてしまう可能性が高い。
【０００７】
そこで、本発明はかかる問題点に鑑みて、仏壇を移動させる際に、傾きにくく、転倒しにくい可動仏壇の提供を目的とする。
【課題を解決するための手段】
【０００８】
本発明の可動仏壇は、仏壇本体、および前記仏壇本体の下方の前側および後側に、直接または間接的に取り付けられるキャスターを備えた可動仏壇であって、前記キャスターのうち、前記可動仏壇の前側および／または後側に設けられるキャスターが、前記可動仏壇が載置される床面上を転動する転動輪と、該転動輪の進行方向を変化させるための、略鉛直方向に延びる転動輪方向変換軸とを備え、前記可動仏壇の前側と後側のうちのいずれか一方において、前側キャスターの転動輪方向変換軸の軸心が前記仏壇本体の外周部の外側に配置されるか、または後側キャスターの転動輪方向変換軸の軸心が、前記仏壇本体の外周部の外側に配置されていることを特徴とする。
【０００９】
また、前記前側キャスターの転動輪方向変換軸の軸心が、前記仏壇本体の外周部の外側に配置され、かつ、前記後側キャスターの転動輪方向変換軸の軸心が、前記仏壇本体の外周部の外側に配置されていることが好ましい。
【００１０】
また、前記仏壇本体の外周部の外側に、前記仏壇本体の外側へ突出する軸接続部が設けられ、前記軸接続部に、前記転動輪方向変換軸が接続されることが好ましい。
【００１１】
また、前記キャスターが、キャスターカバーにより覆われ、該キャスターカバーが、前記転動輪とともに前記転動輪方向変換軸を中心に回転可能であり、前記キャスターカバーが上方から下方へ向かって傾斜した傾斜面を有し、前記軸接続部が、上方から下方へ向かうにつれて、前記仏壇本体の外側へ向かって、張り出し幅が広がるように形成され、前記軸接続部と前記キャスターカバーの傾斜面とが連続した傾斜面を形成可能であることが好ましい。
【００１２】
また、前記仏壇本体内に須弥壇が設けられ、該須弥壇の天面が前記仏壇本体の前側から後側に向かって後側が低くなるように、水平面に対して１〜５°傾斜していることが好ましい。
【００１３】
また、本発明の可動仏壇は、仏壇本体、および前記仏壇本体の下方の前側および後側に、直接または間接的に取り付けられるキャスターを備えた可動仏壇であって、前記可動仏壇の前側と後側のうちのいずれか一方において、前側キャスターの接地面が前記仏壇本体の外周部の外側になるように前記前側キャスターが配置されるか、または後側キャスターの接地面が、前記仏壇本体の外周部の外側になるように前記後側キャスターが配置されていることを特徴とする。
【００１４】
また、前記前側キャスターの接地面が、前記仏壇本体の外周部の外側に配置され、かつ、前記後側キャスターの接地面が、前記仏壇本体の外周部の外側に配置されていることが好ましい。
【００１５】
また、前記仏壇本体の外周部の外側に、前記仏壇本体の外側へ突出するキャスター接続部が設けられ、前記キャスター接続部に、前記キャスターが接続されることが好ましい。
【００１６】
また、前記キャスターが、キャスターカバーにより覆われ、該キャスターカバーが、前記キャスターとともに回転可能であり、前記キャスターカバーが上方から下方へ向かって傾斜した傾斜面を有し、前記キャスター接続部が、上方から下方へ向かうにつれて、前記仏壇本体の外側へ向かって、張り出し幅が広がるように形成され、前記キャスター接続部と前記キャスターカバーの傾斜面とが連続した傾斜面を形成可能であることが好ましい。
【００１７】
また、前記仏壇本体内に須弥壇が設けられ、該須弥壇の天面が前記仏壇本体の前側から後側に向かって後側が低くなるように、水平面に対して１〜５°傾斜していることが好ましい。
【発明の効果】
【００１８】
本発明によれば、仏壇を移動させる際に、傾きにくく、転倒しにくい仏壇を提供することができる。
【図面の簡単な説明】
【００１９】
【図１】本発明の可動仏壇の一実施形態を示す正面図である。
【図２】本発明の可動仏壇を前面側から背面側に向けて切断した断面図である。
【図３】図２の断面図において、前面側の扉を開いた状態を示す図である。
【図４】本発明の可動仏壇に用いられるキャスターおよび軸接続部の一例を示す図である。
【図５】本発明の可動仏壇を天面側から見た模式図である。
【図６】本発明の可動仏壇の内部に設けられる須弥壇を説明する図である。
【発明を実施するための形態】
【００２０】
以下、添付図面を参照し、本発明の可動仏壇を詳細に説明する。
【００２１】
図１は、仏壇の扉が閉じた状態を示す正面図であり、図２は、図１の仏壇を前面側から背面側に向けて切断した断面図である。図１に示されるように、本発明の可動仏壇１は、仏壇本体２を備えている。仏壇本体２は、図１および図２に示されるように、前面２１、側面２２および背面２３を有している。また、本実施形態では、仏壇本体２は天面２４、底面２５を備え、さらに、仏壇本体２の下部を支持する底部３を有している。底部３は、本実施形態では、仏壇本体２の下側に設けられた矩形枠状の部位を示し、この底部３に後述するキャスターが取り付けられている。しかしながら、底部３は必ずしも設ける必要はなく、仏壇本体２の前面２１、側面２２、背面２３の下部側の部位を底部３の代わりとしてもよい。
【００２２】
なお、本明細書における「仏壇本体」とは、仏具を収納または載置することができ、仏様を祀る祭壇を有するものであればよく、図１および図２に示す実施形態のような、前面２１、側面２２および背面２３を有し、前面２１に扉を有する略直方体形状の仏壇本体だけでなく、仏具を収容する略直方体形状の筐体を有し、当該仏具を収容する筐体の天面に須弥壇が載置され、須弥壇自体が仏壇本体を構成する板材などにより覆われていないものなども含む。また、仏壇本体２は、図示した実施形態では、前面２１、側面２２および背面２３などの板材により覆われているが、図中の前面２１、側面２２および背面２３に対応する箇所に板材を設けずに、天面２４と底面２５とを、四隅または中央に設けた柱により連結したような仏壇本体２であってもよい。また、仏壇本体２の上または下側に別の筐体などが一体的に接続されたものも含まれる。仏壇本体２の基本的な形状は、図１および図２に示されるように、略直方体形状であるが、略直方体形状である必要はなく、たとえば、水平方向の切断面が六角形など、矩形以外の多角形形状となるようなものであってもよいし、表面に湾曲面を有し、全体的に丸みを帯びた楕円形または円形のものであってもよい。また、仏壇本体２の表面に複数の凹凸があるものであってもよい。
【００２３】
本実施形態において、仏壇本体２の前面２１は、仏壇本体２の正面側の部位であり、通常は扉として構成されている。なお、請求項における仏壇本体２の「前側」とは、仏壇本体２の前で祀るときに向かい合う正面側のことをいい、「後側」とは、仏壇本体２の前側の反対側の部位（本実施形態では、背面２３側）をいう。本実施形態では、扉として構成された前面２１は、図１〜図３に示されるように、３枚の扉、すなわち、上扉２１ａ、中段扉２１ｂおよび下扉２１ｃとを備えている。上扉２１ａは、図２に示されるように、ヒンジ部４を中心に回転するように構成されている。図１および図２に示される上扉２１ａが閉じた状態から、ヒンジ部４を中心として上扉２１ａを手前上方向に回転させ、上扉２１ａが水平な状態まで回転したのち、上扉収容部２１ｄ（図２参照）内へと上扉２１ａを水平に移動させて、上扉２１ａを収容する（図３参照）。
【００２４】
中段扉２１ｂは、回転軸５を中心として回転可能に構成されている。図１および図２に示される中段扉２１ｂが閉じた状態から、回転軸５を中心として中段扉２１ｂを手前下方向に回転させる。中段扉２１ｂを水平状態になると、中段扉２１ｂが水平状態で保持され、中段扉２１ｂが膳として機能する（図３参照）。
【００２５】
下扉２１ｃは、上扉２１ａと同様に、図２に示されるように、ヒンジ部６を中心に回転するように構成されている。図１および図２に示される状態から、ヒンジ部６を中心として下扉２１ｃを手前上方向に回転させ、下扉２１ｃが水平な状態まで回転したのち、下扉収容部２１ｅ内へと下扉２１ｃを水平に移動させて、水平扉２１ｃを収容する（図３参照）。
【００２６】
本実施形態では、上述したように３枚の上扉２１ａ、中段扉２１ｂ、下扉２１ｃが仏壇本体２の前面２１に設けられたものを例示したが、仏壇本体２の前面２１は図示した形状に限られず、２枚の扉を観音開きで開放するように構成されていてもよく、また、扉の枚数、開放方向なども、特に限定されるものではない。
【００２７】
仏壇本体２の上扉２１ａおよび中段扉２１ｂにより閉鎖される内部空間には、図２および図３に示されるように、三段の須弥壇７ａ、７ｂ、７ｃが設けられている。各須弥壇７ａ、７ｂ、７ｃの上には、御本尊、位牌や五具足等の仏具が配置される。仏壇本体２の下扉２１ｃを開いた内部には、棚板７ｄが設けられ、仏壇本体２の下側にも仏具を収容可能としている。須弥壇７ａ、７ｂ、７ｃについては後述するが、須弥壇の枚数や、棚板の枚数、配置場所などの仏壇本体２の内部構造は、図示した形状に限定されることはない。
【００２８】
仏壇本体２の前面２１の両側部からは、仏壇本体２の後側に向かって２つの側面２２が延びている。２つの側面２２は仏壇の後側の端部が、背面２３により連結されている。なお、本実施形態では、仏壇本体２の前側（前面２１）が、上扉２１ａ、中段扉２１ｂ、下扉２１ｃなど、扉により覆われたものを示しているが、仏壇本体２の前面２１に扉が設けられず、前面２１側の開口部としたものも本発明に含まれる。同様に、仏壇として仏具を配置することができるものであれば、上述したように、側面２２または背面２３を開口部としても構わない（側面２２または背面２３の部位において、側板、背板が設けられていない）。また、たとえば前面２１に扉が設けられず、開口部とされる場合は、扉が設けられたときの扉の表面と同一の仮想的な平面を前面２１とすることができる。
【００２９】
本発明の可動仏壇１は、仏壇を移動させるために、図１〜図３に示されるように、仏壇本体２の下方の前側および後側に、直接または間接的に取り付けられるキャスター８を有している。キャスター８は、仏壇本体２の前側および後側に設けられ、可動仏壇１が転倒しないように支持することができるものであれば、キャスター８の個数は限定されず、図示したように４つのキャスターを設けてもよいし、４つより多く設けられても構わない。このキャスター８は、図４に示されるように、可動仏壇１が載置される床面上を転動する転動輪８ａと、転動輪８ａの進行方向を変化させるための、略鉛直方向に延びる転動輪方向変換軸８ｂを備えている。本実施形態では、転動輪方向変換軸８ｂは、外周に雄ネジを有したボルト状に形成されている。本実施形態のキャスター８は、転動輪８ａが水平方向に延びる回転軸８ｃ周りに回転して床面上を転動して移動でき、鉛直方向に延びる転動輪方向変換軸８ｂを中心として転動輪８ａが回転可能であり、可動仏壇１の方向変換が可能である。具体的には、転動輪方向変換軸８ｂと転動輪取付部８ｄの上部とは、転がり軸受により旋回可能に取り付けられているため、キャスター８は、軸接続部９に対して転動輪方向変換軸８ｂを中心として回転する。キャスター８は、図４に示された形状に限定されることはなく、方向の変換が可能であり、床面上を転動できるものであれば、車輪状のものなど、他の形状であっても構わない。
【００３０】
そして、本発明の可動仏壇１では、転動輪方向変換軸８ｂの軸心が、可動仏壇１の前側と後側のうちのいずれか一方において、前側キャスター８Ｆ（図２参照）が仏壇本体の外周部の外側に配置されるか、または後側キャスター８Ｒ（図２参照）が、仏壇本体２の外周部の外側に配置されている。本実施形態では、前側キャスター８Ｆが、仏壇本体２の前面２１および側面２２の外側に配置され、かつ、後側キャスター８Ｒが、仏壇本体２の背面２３および側面２２の外側に配置されている。なお、本明細書における「仏壇本体２の外周部」とは、仏壇本体２の垂直方向の側周部をいい、本実施形態のような略直方体形状の仏壇本体２の場合は、前面２１、側面２２、背面２３が仏壇本体２の外周部となり、水平方向の断面が楕円形や円形の仏壇本体の場合には、仏壇本体の側周の湾曲面が仏壇本体の外周部となる。また、天面２４と底面２５とが柱により接続されている場合など、図中の前面２１、側面２２、背面２３の位置に扉や、側板、背板などが設けられていない場合は、図中の天面２４と底面２５に対応する部材の外周部を結んだ垂直方向の仮想的な面が仏壇本体２の外周部となる。なお、仏壇は表面に模様や飾り等をつけるために細かい凹凸が形成されることがあるが、そのような表面に形成された凹凸は、後述する本発明の効果に特に影響はないため、本発明の効果を得る際に影響のない範囲である限り、凹凸を除いた場合の平らな外周表面を外周部とする。また、「外周部の外側」とは、上述した外周部に対して水平方向で外側をいう。
【００３１】
図５に示される模式図に示すように、従来の可動式の仏壇は、キャスターが箱型形状の仏壇の底面の下面に取り付けられている（図５において２点鎖線により参照符号Ｃで示している）。このように、従来の可動式の仏壇は、仏壇の外周の内側にキャスターが設けられているため、数人で仏壇を移動させる分には問題ない場合もあるが、部屋から部屋へある程度長い距離移動させる場合や、一人で移動させる場合に仏壇の外周部を押して移動させるときに、倒れてしまう可能性がある。このような構成から、一人暮らしの高齢者などにとっては、従来の仏壇を移動させるのは非常に困難である。一方、本発明の場合、図５において実線で示すように、可動式仏壇１のキャスター８（前側キャスター８Ｆ、後側キャスター８Ｒ）の転動輪方向変換軸８ｂの軸心が仏壇本体２の外周部（前面２１、側面２２、背面２３）よりも外側、すなわち、仏壇本体２を仏壇本体２の上方から投影した場合の仏壇本体２の外側表面より外側に形成されている。したがって、可動仏壇１を移動させる際に、仏壇本体２の側方、たとえば前面２１、側面２２、背面２３のいずれかが押圧された場合であっても、仏壇本体２が倒れる方向に傾こうとしても、仏壇本体２の外周部よりも外側に配置されたキャスター８が可動仏壇１がキャスター８を支点として傾くことを防ぎ、仏壇の転倒を防止することができる。この効果は前側または後側のいずれかにおいて、キャスター８の転動輪方向変換軸８ｂの軸心が仏壇の外周部よりも外側に設けられていれば得られるが、前側および後側の両側とすることにより、あらゆる移動方向で仏壇の転倒を防止することができる。したがって、従来、ある部屋から別の部屋まで仏壇を一人で移動しようとするような発想はそもそも存在しなかったが、一人でも仏壇を移動させることができるようになり、一人で仏壇を移動させる際に生じる、仏壇の側方からの力が仏壇に加わっても、仏壇が転倒しにくい。さらに、仏壇が傾きにくく構成されているため、仏壇の外側表面を押圧したときに、移動の途中で仏壇が傾斜して停止してしまうことがなく、仏壇をスムーズに移動させることが可能である。
【００３２】
なお、上述した効果は、仏壇の転動輪方向変換軸８ｂの軸心が仏壇本体２の前面２１および側面２２、および／または、背面２３および側面２２の外側にある場合（以下、「仏壇本体の前面２１および側面２２、および／または、背面２３および側面２２の外側」を単に仏壇本体の外側という）だけでなく、キャスター８の接地面が仏壇本体２の外側にある場合であっても同様である。図１〜図３に示した実施形態では、全てのキャスター８が転動輪方向変換軸８ｂを有し、図示された４つのキャスター８が全て方向変換できるものとして示しているが、必ずしも全てのキャスター８が転動輪方向変換軸８ｂを有している必要はなく、キャスター８が４つある場合には、そのうちの少なくとも２つが転動輪方向変換軸８ｂを有したキャスター８を用いて、他の２つは、転動輪方向変換軸８ｂを有しない車輪状のキャスターであってもよい。たとえば、仏壇本体２の前面２１側のキャスター８Ｆを前輪とした場合に、前輪を、転動輪方向変換軸８ｂを有するキャスター８とし、後輪側（仏壇本体２の背面２３側のキャスター８Ｒ）を、方向変換しない車輪とすることにより、前輪による方向変換に後輪が追随して移動して、可動仏壇１を自由に移動させることができる。この場合、上述したように、前輪側、後輪側のキャスターのいずれか一方が仏壇本体２の外周部よりも外側にあればよく、他方を仏壇本体２の内側に設けても構わない。また、可動仏壇１の設置時に目立たずに、かつ、移動する際には可動仏壇１の押し引き移動がしやすいように、仏壇本体２の背面２３側に把持部（図示せず）を設けてもよいし、仏壇本体２の前面２１や側面２２に把持部を設けてもよい。把持部は取っ手状のものであってもよいし、仏壇本体２の前面２１、側面２２、背面２３など、仏壇本体２の外周部に設けた凹部であってもよい。
【００３３】
本実施形態の可動仏壇１は、転動輪方向変換軸８ｂを仏壇本体２に取り付けるために、仏壇本体２の前面２１および側面２２の交差部位、および／または仏壇本体２の背面２３および側面２２の交差部位から、仏壇本体２の外側へ突出する軸接続部９が設けられ、軸接続部９に、転動輪方向変換軸８ｂが接続されている。軸接続部９は、キャスター８を仏壇本体２に接続するために介装される部位であり、仏壇本体２にネジなどの公知の固定手段により固定される。本明細書において、「軸接続部」というときは、転動輪方向変換軸８ｂが接続される部位であり、「キャスター接続部」というときは、転動輪方向変換軸８ｂを有するキャスター８や、キャスター自体が方向変換せずに１つの水平な回転軸を中心に回転する車輪状のキャスター、ボールキャスターを含む、キャスター全般の接続部位をいう。
【００３４】
本実施形態では、図４に示されるように、軸接続部９は、上方から下方へ向かうにつれて、仏壇本体２の外側へ向かって、張り出し幅が広がるように形成されている。本実施形態の軸接続部９は、外部から転動輪方向変換軸８ｂと軸接続部９との間の接続部位が外部から見えないように転動輪方向変換軸８ｂが取り付けられる。具体的には、軸接続部９は、軸接続部９に形成された接続凹部９ａが形成され、転動輪方向変換軸８ｂの雄ネジと、接続凹部９ａに形成された雌ネジとが螺合することによりキャスター８が取り付けられる。また、軸接続部９の形状（またはキャスター接続部の形状）は、キャスター８の転動輪方向変換軸８ｂの軸心が仏壇本体２の外側に位置し、または、キャスター８の接地面が仏壇本体２の外側に位置するように、転動輪方向変換軸８ｂを取り付けることができるものであれば、仏壇本体２の上方から下方に亘って同一の断面を有する柱状の部材であってもよく、図４に示される形状以外の形状であってもよい。また、本実施形態では、軸接続部９は、仏壇本体２の前面２１側では、仏壇本体２の天面側から見たときに、仏壇本体２から斜め前方に前面２１と側面２２に対してほぼ同じ角度で傾斜して延び、仏壇本体２の背面２３側では、斜め後方に、仏壇本体２から斜め後方に背面２３と側面２２に対してほぼ同じ角度で傾斜して延びている。しかしながら、軸接続部９の延びる方向や、張り出し幅（仏壇本体２から外側表面から外側に向かっての突出長さ）は本発明の目的を達成できる範囲であれば、特に限定されるものではない。
【００３５】
また、本実施形態では、キャスター８は、キャスターカバー８ｅにより覆われ、キャスターカバー８ｅが、転動輪８ａとともに転動輪方向変換軸８ｂを中心に回転可能であり、キャスターカバー８ｅが上方から下方へ向かって傾斜した傾斜面８ｆを有している。さらに、軸接続部９とキャスターカバー８ｅの傾斜面８ｆとが連続した傾斜面を形成可能に構成されている。このように構成することにより、可動仏壇１の移動が完了した後、キャスターカバー８ｅを手動で動かすことにより、キャスターカバー８ｅと軸接続部９とが、連続した１つの傾斜面を形成することができる。したがって、可動仏壇１と人が接触したり、地震などの揺れにより倒れる方向に力が加わっても、連続したキャスターカバー８ｅと軸接続部９とにより、可動仏壇１が転倒する方向に加わる力を支持して、可動仏壇１の転倒を防止することができるとともに、仏壇本体２の下方において、連続した傾斜面により末広がりの土台のような形で、仏壇本体２と一体化して、仏壇本来の外観を損なうことなく、仏壇にキャスターが付いていても違和感がない。なお、「傾斜面」は、図示したように、湾曲した面により形成されてもよいし、平面的な傾斜面としてもよい。
【００３６】
本実施形態では、キャスターカバー８ｅは、全体として底部が開放した靴状の形状を呈している。靴状のキャスターカバー８ｅは、内部にキャスター８の転動輪８ａを収容する収容空間を有している。キャスターカバー８ｅの底部は開放し、転動輪８ａの下部が突出している。キャスターカバー８ｅは、傾斜面８ｆの下端が床面から２〜１５ｍｍ程度であることが好ましい。キャスターカバー８ｅの上部側は、キャスターカバー８ｅに収容されたキャスター８の転動輪方向変換軸８ｂが上方へ突出できるように開口部（図示せず）を有しており、その開口部にキャスター８の転動輪取付部８ｄの上部側がはめ込まれて、キャスターカバー８ｅとキャスター８とが接続される。
【００３７】
また、本実施形態の可動仏壇１は、移動可能であるため、仏壇本体２の内部に仏具が載置された状態で移動される場合がある。具体的には仏壇本体２には、上述したように、須弥壇７ａ、７ｂ、７ｃが設けられており、この須弥壇７ａ、７ｂ、７ｃの上に御本尊、位牌や五具足等の仏具が載置される。このような場合に、移動中に仏具が前方に倒れてしまうと、仏壇本体２の扉を開けたときに仏具が落下してしまう危険性がある。仏具が前方に倒れてしまう場合、落ちた仏具に傷がついたり、仏具が破損してしまう可能性もある。そして、仏具が仏壇本体２の前面２１側から落ちないようにするために、扉が開かないように移動の都度固定するのも煩雑である。そこで、本実施形態では、須弥壇７ａ、７ｂ、７ｃの天面が仏壇本体２の前面２１側から背面２３側に向かって背面２３側が低くなるように、水平面に対して１〜５°、好ましくは２〜３°傾斜させている。この傾斜により、仏壇本体２内に載置された仏具が前方に落ちることを防止することができ、可動仏壇１の移動をスムーズに進めることができ、扉を固定する等の作業が必要なくなる。なお、本明細書において、「須弥壇」という場合は、本実施形態における棚板７ｄのような、三段の須弥壇７ａ、７ｂ、７ｃ以外に仏具が載置される他の部位も含む概念である。
【００３８】
なお、本明細書において「仏壇」とは、都市型仏壇だけでなく、伝統的な仏壇も含まれる。また、本実施形態では、軸接続部（キャスター接続部）およびキャスターは、底部３を介して予め仏壇本体２に取り付けられたものを示したが、軸接続部およびキャスターは、既存の仏壇に後付けで取り付けても構わない。
【符号の説明】
【００３９】
１  可動仏壇
２  仏壇本体
２１  前面
２１ａ  上扉
２１ｂ  中段扉
２１ｃ  下扉
２１ｄ  上扉収容部
２１ｅ  下扉収容部
２２  側面
２３  背面
２４  天面
２５  底面
３  底部
４  ヒンジ部
５  回転軸
６  ヒンジ部
７ａ、７ｂ、７ｃ  須弥壇
７ｄ  棚板
８  キャスター
８ａ  転動輪
８ｂ  転動輪方向変換軸
８ｃ  回転軸
８ｄ  転動輪取付部
８ｆ  傾斜面
８ｅ  キャスターカバー
８Ｆ  前側キャスター
８Ｒ  後側キャスター
９  軸接続部
９ａ  接続凹部
【図１】
2015089483.tif 000003
【図２】
2015089483.tif 000004
【図３】
2015089483.tif 000005
【図４】
2015089483.tif 000006
【図５】
2015089483.tif 000007
【図６】
2015089483.tif 000008